(57)【要約】【課題】対内スキューを小さくし且つサイズを小型化する。【解決手段】２本並べた信号線（１，２）の一方側にドレイン導体（４）を設けると共に他方側にダミードレイン導体（５）を設ける。【効果】２本並べた信号線（１，２）の両側にそれぞれ丸外形のドレイン導体（４）を設けた差動信号伝送ケーブルと同様の小さな対内スキューとなる。丸外形のドレイン導体（４）を２本用いるよりもサイズを小さくすることが出来る。【選択図】図１
2010277967.tif 000002
【特許請求の範囲】
【請求項１】
中心導体の外周に絶縁体を設けた丸外形の第１信号線と、中心導体の外周に絶縁体を設けた丸外形の第２信号線と、前記第１信号線および前記第２信号線を並べて包むように導電テープを螺旋巻または縦添えしてなる外部導体と、前記外部導体の外側に前記第１信号線と並ぶように設置された丸外形のドレイン導体と、前記外部導体の外側に前記第２信号線と並ぶように設置された箔状のダミードレイン導体と、全体を絶縁被覆するジャケット層とを具備したことを特徴とする差動信号伝送ケーブル。
【請求項２】
請求項１に記載の差動信号伝送ケーブルにおいて、前記外部導体および前記ドレイン導体および前記ダミードレイン導体を並べて包むように押え巻きテープを螺旋巻または縦添えして押え巻きテープ層とし、前記押え巻きテープ層の外周に前記ジャケット層を設けたことを特徴とする差動信号伝送ケーブル。
【請求項３】
請求項１または請求項２に記載の差動信号伝送ケーブルにおいて、前記第１信号線および前記第２信号線の絶縁体が、前記中心導体の外周を被覆する内環状部と内環状部の外周から外側に向けて放射状に延びる３本以上のリブ部とリブ部の外端を連結する外環状部とを有する中空コア体であることを特徴とする差動信号伝送ケーブル。
【発明の詳細な説明】
【技術分野】
【０００１】
本発明は、差動信号伝送ケーブルに関し、さらに詳しくは、対内スキューを小さくし且つサイズを小型化できる差動信号伝送ケーブルに関する。
【背景技術】
【０００２】
従来、２本並べた信号線の両側にそれぞれ丸外形のドレイン導体を設けた差動信号伝送ケーブルおよび２本並べた信号線の片側のみに丸外形のドレイン導体を設けた差動信号伝送ケーブルが知られている（例えば特許文献１参照。）。
他方、中心導体の外周を被覆する内環状部と内環状部の外周から外側に向けて放射状に延びる３本以上のリブ部とリブ部の外端を連結する外環状部とを有する中空コア体が知られている（例えば特許文献２参照。）。
【先行技術文献】
【特許文献】
【０００３】
【特許文献１】特開２００１−９３３５７号公報（図２（ｂ），図５（ａ））
【特許文献２】特開２００７−３３５３９３号公報
【発明の概要】
【発明が解決しようとする課題】
【０００４】
２本並べた信号線の両側にそれぞれ丸外形のドレイン導体を設けた差動信号伝送ケーブルは、２本並べた信号線の片側のみに丸外形のドレイン導体を設けた差動信号伝送ケーブルと比べると、対内スキューが小さく有利であるが、ドレイン導体の直径分だけサイズが大きくなってしまう問題点がある。
逆に、２本並べた信号線の片側のみに丸外形のドレイン導体を設けた差動信号伝送ケーブルは、２本並べた信号線の両側にそれぞれ丸外形のドレイン導体を設けた差動信号伝送ケーブルと比べると、ドレイン導体の直径分だけサイズが小さくなる利点があるが、対内スキューが大きくなる問題点がある。
そこで、本発明の目的は、対内スキューを小さくし且つサイズを小型化できる差動信号伝送ケーブルを提供することにある。
【課題を解決するための手段】
【０００５】
第１の観点では、本発明は、中心導体（１ａ）の外周に絶縁体（１ｂ）を設けた丸外形の第１信号線（１）と、中心導体（２ａ）の外周に絶縁体（２ｂ）を設けた丸外形の第２信号線（２）と、前記第１信号線（１）および前記第２信号線（２）を並べて包むように導電テープを螺旋巻または縦添えしてなる外部導体（３）と、前記外部導体（３）の外側に前記第１信号線（１）と並ぶように設置された丸外形のドレイン導体（４）と、前記外部導体（３）の外側に前記第２信号線（２）と並ぶように設置された箔状のダミードレイン導体（５）と、全体を絶縁被覆するジャケット層（７）とを具備したことを特徴とする差動信号伝送ケーブル（１０）を提供する。
上記第１の観点による差動信号伝送ケーブルでは、２本並べた信号線の一方側にドレイン導体を設けると共に他方側にダミードレイン導体を設けるため、２本並べた信号線の両側にそれぞれ丸外形のドレイン導体を設けた差動信号伝送ケーブルと同様の小さな対内スキューとなる。さらに、ダミードレイン導体は、箔状の導体とするので、丸外形のドレイン導体を用いるよりもサイズを小さくすることが出来る。
【０００６】
第２の観点では、本発明は、前記第１の観点による差動信号伝送ケーブル（１０）において、前記外部導体（３）および前記ドレイン導体（４）および前記ダミードレイン導体（５）を並べて包むように押え巻きテープを螺旋巻または縦添えして押え巻きテープ層（６）とし、前記押え巻きテープ層（６）の外周に前記ジャケット層（７）を設けたことを特徴とする差動信号伝送ケーブル（１０）を提供する。
上記第２の観点による差動信号伝送ケーブルでは、押え巻きテープ層により、ドレイン導体およびダミードレイン導体の位置精度が向上し、端末加工性が安定する。また、押え巻きテープに導電テープを用いた場合には、導電テープによりドレイン導体およびダミードレイン導体をもシールドするため、ノイズ耐性を向上することが出来る。
【０００７】
第３の観点では、本発明は、前記第１または第２の観点による差動信号伝送ケーブル（１０）において、前記第１信号線（１）および前記第２信号線（２）の絶縁体（１ｂ，２ｂ）が、前記中心導体（１ａ，２ａ）の外周を被覆する内環状部と内環状部の外周から外側に向けて放射状に延びる３本以上のリブ部とリブ部の外端を連結する外環状部とを有する中空コア体であることを特徴とする差動信号伝送ケーブル（１０）を提供する。
上記第３の観点による差動信号伝送ケーブルでは、中空コア体を誘電体層とするため、高周波特性を向上することが出来る。
【発明の効果】
【０００８】
本発明の差動信号伝送ケーブルによれば、２本並べた信号線の両側にそれぞれ丸外形のドレイン導体を設けた差動信号伝送ケーブルと同様の小さな対内スキューとなる。さらに、ダミードレイン導体は箔状の導体なので、丸外形のドレイン導体を２本用いるよりもサイズを小さくすることが出来る。
【図面の簡単な説明】
【０００９】
【図１】実施例１に係る差動信号伝送ケーブルの横断面図である。
【発明を実施するための形態】
【００１０】
以下、図に示す実施の形態により本発明をさらに詳細に説明する。なお、これにより本発明が限定されるものではない。
【実施例】
【００１１】
−実施例１−
図１は、差動信号伝送ケーブル１０の横断面図である。
この差動信号伝送ケーブル１０は、中心導体１ａの外周に絶縁体１ｂを設けた丸外形の第１信号線１と、中心導体２ａの外周に絶縁体２ｂを設けた丸外形の第２信号線２と、第１信号線１および第２信号線２を並べて包むように導電テープを螺旋巻または縦添えしてなる外部導体３と、外部導体３の外側に第１信号線１と並ぶように設置され第１信号線１より小径の丸外形のドレイン導体４と、外部導体３の外側に第２信号線２と並ぶように設置された箔状のダミードレイン導体５と、外部導体３およびドレイン導体４およびダミードレイン導体５を並べて包むようにテープを螺旋巻または縦添えしてなる押え巻きテープ層６と、押え巻きテープ層６の外周を絶縁被覆するジャケット層７とを具備してなる。
【００１２】
中心導体１ａ，２ａは、例えば直径０．５１ｍｍの丸銅線である。
【００１３】
第１信号線１の絶縁体１ｂは、中心導体１ａの外周を被覆する内環状部とその内環状部の外周から外側に向けて放射状に延びる３本以上のリブ部とそのリブ部の外端を連結する外環状部とを有する中空コア体である。外径は、例えば１．２５ｍｍである。
第２信号線２の絶縁体２ｂも、第１信号線１の絶縁体１ｂと同様の構成である。
【００１４】
外部導体３の導電テープは、金属ラミネートテープ，金属蒸着テープ，金属テープなどである。具体例を挙げると、厚さ９μｍの銅箔と厚さ６μｍのＰＥＴを積層した銅ＰＥＴテープである。
導体面が片面だけの場合は、導体面が外側に向くように配置する。
【００１５】
ドレイン導体４は、例えば直径０．２５ｍｍの丸銅線である。
【００１６】
ダミードレイン導体５は、平角線，リボン線，金属箔，金属ラミネートテープ，金属蒸着テープ，金属テープ，平たく並べた複数本の極細金属線（ドレイン導体４の直径の１／２以下の直径とする。）などである。具体例を挙げると、厚さ３５μｍ，幅０．３ｍｍの平角線である。
導体面が片面だけの場合は、導体面が外部導体３に接するように配置する。
【００１７】
押え巻きテープ層６のテープは、合成樹脂テープ，金属ラミネートテープ，金属蒸着テープ，金属テープなどである。具体例を挙げると、厚さ９μｍの銅箔と厚さ６μｍのＰＥＴを積層した銅ＰＥＴテープである。
導体面が片面だけの場合は、導体面が内側に向くように配置する。
【００１８】
ジャケット層７は、例えば厚さ０．０６ｍｍのフッ素系樹脂である。
【００１９】
上記差動信号伝送ケーブル１０の対内スキュー値は１．５ｐｓ／ｍ（ｍａｘ）、仕上り外径は短径×長径＝１．５ｍｍ×３．０ｍｍであった。
【００２０】
−比較例１−
ダミードレイン導体５の代わりに、例えば直径０．２５ｍｍの丸銅線を用いた場合、対内スキュー値は１．５ｐｓ／ｍ（ｍａｘ）、仕上り外径は短径×長径＝１．５ｍｍ×３．３ｍｍであった。
【００２１】
−比較例２−
ダミードレイン導体５を省略した場合、対内スキュー値は９．９ｐｓ／ｍ（ｍａｘ）、仕上り外径は短径×長径＝１．５ｍｍ×３．０ｍｍであった。
【００２２】
実施例１に係る差動信号伝送ケーブル１０によれば、２本並べた信号線の両側にそれぞれ丸外形のドレイン導体を設けた差動信号伝送ケーブルと同様の小さな対内スキューとなる。さらに、丸外形のドレイン導体を２本用いるよりもサイズを小さくすることが出来る。
【産業上の利用可能性】
【００２３】
本発明の差動信号伝送ケーブルは、長距離大容量データ伝送ケーブルなどとして有用である。
【符号の説明】
【００２４】
１                第１信号線
１ａ              中心導体
１ｂ              絶縁体
２                第２信号線
２ａ              中心導体
２ｂ              絶縁体
３                外部導体
４                ドレイン導体
５                ダミードレイン導体
６                押え巻きテープ層
７                ジャケット層
１０              差動信号伝送ケーブル
【図１】
2010277967.tif 000003